(57)【要約】【課題】複雑な機構を有するハンドル内に、刃ホルダを、容易に折り畳むことができ、かつ、使用が簡単で製造と保守との低コスト化を可能とする。【解決手段】ハンドル２上のロックアセンブリ１５は、ハンドル２内の空間部内で刃ホルダ３の展開または折畳みの所定位置に刃ホルダを保持できるロックノブ２１を有する。スプリング２２は、ロックアセンブリに連結され、刃ホルダの後縁部３１A後側位置でロックノブにバイアスをかける。その張力に抗してロックアセンブリを動かしてロックノブを空間部の外へ出し後縁部後側から離脱方向に移動の際に、刃ホルダはハンドルに対して展開から折畳みの位置に旋回可能となる。ロックアセンブリは一方のハンドル半部内部に延在する押しボタン１８を有し、ロックノブは、押しボタンから延在する軸に取り付けられて他方のハンドル半部に設けた窪み１７内にあり、その中空部分にスプリングが位置している。【選択図】図１
2006043437.tif 000002
【特許請求の範囲】
【請求項１】
ハンドルと刃ホルダとを有する折畳み可能なナイフにおいて、
前記刃ホルダは、内部に刃を保持するための手段を有し、かつ、前記ハンドルに旋回可能に取り付けられて展開位置から折畳み位置に移動することができ、
前記ハンドルは、前記刃ホルダがその折畳み位置にあるとき、前記刃ホルダの少なくとも一部を収容することができる空間部を有し、かつ、ハンドル上にロックアセンブリを有し、
前記ロックアセンブリは、通常は前記ハンドル内の前記空間部に位置するロックノブを有し、前記刃ホルダをその展開位置またはその折畳み位置に保持するように前記刃ホルダと協同動作する
ことを特徴とする折畳み可能ナイフ。
【請求項２】
請求項１に記載の折畳み可能ナイフにおいて、前記刃ホルダは、後縁部を有し、前記ロックノブは、前記後縁部の後側に位置してその展開位置で前記刃ホルダの前記後縁部を押しつけ、前記刃ホルダをその展開位置に保持することを特徴とする折畳み可能ナイフ。
【請求項３】
請求項２に記載の折畳み可能ナイフにおいて、
前記ロックアセンブリに連結するバネ手段が設けられ、前記バネ手段は、前記後縁部の後側位置において前記ロックノブにバイアスをかけており、
前記バネ手段の張力に抗して前記ロックアセンブリを動かし、前記ロックノブを前記空間部の外に出して前記後縁部の後側から離れた方向に移動させることより、前記刃ホルダを前記ハンドルに対して、展開位置から折り畳み位置に旋回できるようにした
ことを特徴とする折畳み可能ナイフ。
【請求項４】
請求項３に記載の折畳み可能ナイフにおいて、前記ハンドルは、離隔した一対のハンドル半部からなることを特徴とする折畳み可能ナイフ。
【請求項５】
請求項４に記載の折畳み可能ナイフにおいて、前記ロックアセンブリは、一方の前記ハンドル半部内部に延在する押しボタンを有することを特徴とする折畳み可能ナイフ。
【請求項６】
請求項５に記載の折畳み可能ナイフにおいて、前記ロックノブは、前記押しボタンから延在する軸に取り付けられ、前記ロックノブは、他方の前記ハンドル半部に設けた窪み内にあることを特徴とする折畳み可能ナイフ。
【請求項７】
請求項６に記載の折畳み可能ナイフにおいて、前記ロックノブは、中空であり、前記バネ手段は、前記ロックノブ内に位置することを特徴とする折畳み可能ナイフ。
【請求項８】
請求項７に記載の折畳み可能ナイフにおいて、
前記刃ホルダは、主壁と、開位置から前記主壁を覆う閉位置に移動可能に前記主壁に取り付けられたガード壁とを有し、
前記主壁は、前記ガード壁が閉位置にあるときに、刃が前記主壁と前記ガード壁との間に介在するように前記刃を保持するための手段を有する
ことを特徴とする折畳み可能ナイフ。
【請求項９】
請求項８に記載の折畳み可能ナイフにおいて、前記刃ホルダは、前端部と後端部とを有し、前記前端部は、前記ガード壁と前記主壁とからなり、前記後端部は、前記ハンドルに旋回可能に取り付けられ、上縁部、後縁部、および下縁部を有することを特徴とする折畳み可能ナイフ。
【請求項１０】
請求項９に記載の折畳み可能ナイフにおいて、前記ガード壁は、前記後端部の前記下縁部に接したピボット軸を支点として旋回可能に、前記主壁に取り付けられたことを特徴とする折畳み可能ナイフ。
【請求項１１】
請求項１０に記載の折畳み可能ナイフにおいて、前記主壁および前記ガード壁に対して、開位置から前記主壁と前記ガード壁とにかぶさる閉位置に旋回移動する、刃ロックアセンブリを設けたことを特徴とする折畳み可能ナイフ。
【請求項１２】
請求項１１に記載の折畳み可能ナイフにおいて、前記刃ロックアセンブリは、前記上縁部に接した前記前端部に、旋回可能に取り付けられたことを特徴とする折畳み可能ナイフ。
【請求項１３】
請求項１２に記載の折畳み可能ナイフにおいて、前記刃ロックアセンブリは、上壁と一対の側壁とを有するＵ字クリップ形状をなし、前記刃ロックアセンブリがその閉位置にあるとき、前記側壁は、前記主壁と前記ガード壁とをはさむように構成されたことを特徴とする折畳み可能ナイフ。
【請求項１４】
請求項１３に記載の折畳み可能ナイフにおいて、前記刃ロックアセンブリは、そこから延在する側面フィンガーを有することを特徴とする折畳み可能ナイフ。
【請求項１５】
請求項１４に記載の折畳み可能ナイフにおいて、前記刃ホルダは、前記刃ホルダ上に突出物を有し、前記突出物は、刃に設けられた対応開口部に入り込むことができるように形成されたことを特徴とする折畳み可能ナイフ。
【請求項１６】
請求項１５に記載の折畳み可能ナイフにおいて、前記ロックアセンブリの前記側壁に内側に延在する突部を設け、前記突部は、摺接的に前記ロックアセンブリを定位置に保持することを特徴とする折畳み可能ナイフ。
【請求項１７】
請求項１に記載の折畳み可能ナイフにおいて、
前記刃ホルダは、主壁と、開位置から前記主壁を覆う閉位置に移動可能に前記主壁に取り付けられたガード壁とを有し、
前記主壁は、前記ガード壁が閉位置にあるときに、刃が前記主壁と前記ガード壁の間に介在するように前記刃を保持するための手段を有することを特徴とする折畳み可能ナイフ。
【請求項１８】
請求項１７に記載の折畳み可能ナイフにおいて、前記刃ホルダは、前端部と後端部とを有し、前記前端部は、前記ガード壁と前記主壁とからなり、前記後端部は、前記ハンドルに旋回可能に取り付けられ、上縁部、後縁部、および下縁部を有することを特徴とする折畳み可能ナイフ。
【請求項１９】
請求項１８に記載の折畳み可能ナイフにおいて、前記ガード壁は、前記後端部の前記下縁部に接したピボット軸を支点として旋回可能に、前記主壁に取り付けられたことを特徴とする折畳み可能ナイフ。
【請求項２０】
請求項１９に記載の折畳み可能ナイフにおいて、前記主壁および前記ガード壁に対して、開位置から前記主壁と前記ガード壁とにかぶさる閉位置に旋回移動する、刃ロックアセンブリを設けたことを特徴とする折畳み可能ナイフ。
【請求項２１】
請求項２０に記載の折畳み可能ナイフにおいて、前記刃ロックアセンブリは、前記上縁部に接した前記前端部に、旋回可能に取り付けられたことを特徴とする折畳み可能ナイフ。
【請求項２２】
請求項２１に記載の折畳み可能ナイフにおいて、前記刃ロックアセンブリは、上壁と一対の側壁とを有するＵ字クリップ形状をなし、前記刃ロックアセンブリがその閉位置にあるとき、前記側壁は、前記主壁と前記ガード壁とをはさむように構成されたことを特徴とする折畳み可能ナイフ。
【請求項２３】
請求項２２に記載の折畳み可能ナイフにおいて、前記刃ロックアセンブリは、そこから延在する側面フィンガーを有することを特徴とする折畳み可能ナイフ。
【請求項２４】
請求項２３に記載の折畳み可能ナイフにおいて、前記刃ホルダは、前記刃ホルダ上に突出物を有し、前記突出物は、刃に設けられた対応開口部に入り込むことができるように形成されたことを特徴とする折畳み可能ナイフ。
【請求項２５】
請求項２４に記載の折畳み可能ナイフにおいて、前記ロックアセンブリの前記側壁に内側に延在する突部を設け、前記突部は、摺接的に前記ロックアセンブリを定位置に保持することを特徴とする折畳み可能ナイフ。
【発明の詳細な説明】
【技術分野】
【０００１】
本発明は、折畳み可能なナイフに関し、特に、ナイフを使用しないときに、刃をハンドル内に折り畳むことができる、万能ナイフを含む折畳み可能なナイフに関するものである。
【背景技術】
【０００２】
折畳み可能な万能ナイフは、長年にわたり用いられてきた。このような万能ナイフのうちには、ナイフを使用しないときに、ハンドル内に折り畳み可能な刃ホルダに取り付けられた刃を有するものがある。また、このような万能ナイフのうちには、多数の可動部品を有するものがあり、このことは、ナイフを使用しにくくし、かつ、製造にかかる費用を高くする。更に、このような万能ナイフのうちには、刃ホルダをハンドル内に折り畳むための複雑な機構を有するものもある。
【発明の開示】
【発明が解決しようとする課題】
【０００３】
解決しようとする課題は、万能ナイフに用いられるような折畳み可能ナイフが使用し難い点、かつ製造費用を低減できない点である。
【０００４】
従って、本発明の目的の一つは、上記の問題を解決し、刃ホルダをハンドルの中に容易に折り畳むことができる改良された折畳み可能ナイフを提供することである。
【０００５】
本発明の別の目的は、刃が折畳み可能ナイフにしっかりと保持された、改良された折畳み可能ナイフを提供することである。
【０００６】
本発明の別の目的は、使用が簡単で、製造費用と維持費用とが高くない、改良された折畳み可能ナイフを提供することである。
【０００７】
本発明のその他のさらなる目的は、以下に説明する実施例から明らかになり、また、別添される特許請求の範囲に示される。さらに、当業者には、本発明を実施する際に、本文中に記載されていない種々の利点に気付くであろう。
【課題を解決するための手段】
【０００８】
本発明は、上記目的を達成するため、ハンドルと刃ホルダとを有する万能ナイフを含む折畳み可能ナイフにおいて下記の主要な特徴を有する。すなわち、刃ホルダは、内部に刃を保持するための手段を有し、かつ、前記ハンドルに旋回可能に取り付けられて展開位置から折畳み位置に移動することができる。ハンドルは、刃ホルダがその折畳み位置にあるとき、刃ホルダの少なくとも一部を収容することができる空間部を有し、かつ、ハンドル上にロックアセンブリを有する。ロックアセンブリは、通常はハンドル内の空間部に位置するロックノブを有し、刃ホルダをその展開位置または折畳み位置に保持するように刃ホルダと協同動作している。
【０００９】
刃ホルダは、後縁部を有し、ロックノブは、後縁部の後側に位置してその展開位置で刃ホルダの後縁部を押しつけ、刃ホルダをその展開位置に保持することが好ましい。
【００１０】
また、本発明による折畳み可能ナイフには、ロックアセンブリに連結するバネ手段が設けられ、バネ手段は、後縁部の後側位置においてロックノブにバイアスをかけている。バネ手段の張力に抗してロックアセンブリを移動させ、ロックノブを空間部から出して後縁部の後側から離れた方向に移動させることより、刃ホルダを前記ハンドルに対して、展開位置から折り畳み位置に旋回できるようにすることが好ましい。また、ハンドルは、離隔した一対のハンドル半部からなることが好ましい。
【００１１】
また、ロックアセンブリは、一方のハンドル半部内部に延在する押しボタンを有すること、ロックノブは、押しボタンから延在する軸に取り付けられ、他方のハンドル半部に設けた窪み内にあること、更に、ロックノブは、中空であり、バネ手段はロックノブ内に位置していることが好ましい。
【００１２】
また、刃ホルダは、主壁と、開位置から主壁を覆う閉位置に移動可能に主壁に取り付けられたガード壁とを有し、主壁は、ガード壁が閉位置にあるときに、刃が主壁とガード壁との間に介在するように刃を保持するための手段を有することが好ましい。更に、刃ホルダは、前端部と後端部とを有し、前端部は、ガード壁と主壁とからなり、後端部は、ハンドルに旋回可能に取り付けられ、上縁部、後縁部、および下縁部を有することが好ましい。ガード壁は、後端部の下縁部に接したピボット軸を支点として旋回可能に、主壁に取り付けられること、主壁およびガード壁に対して、開位置から主壁とガード壁とにかぶさる閉位置に旋回移動する、刃ロックアセンブリを設けることが好ましい。
【００１３】
刃ロックアセンブリは、上縁部に接した前端部に旋回可能に取り付けられること、更に、刃ロックアセンブリは、上壁と一対の側壁とを有するＵ字クリップ形状をなし、刃ロックアセンブリがその閉位置にあるとき、側壁は、主壁とガード壁とをはさむように構成されること、刃ロックアセンブリは、そこから延在する側面フィンガーを有することが好ましい。
【００１４】
また、刃ホルダは、刃ホルダ上に突出物を有し、突出物は、刃に設けられた対応開口部に入り込むことができるように形成されること、ロックアセンブリは、その側壁に内側に延在する突部を設け、突部は、摺接的にロックアセンブリを定位置に保持することが好ましい。
【発明の効果】
【００１５】
本発明のハンドルとハンドルに旋回可能に取り付けられた刃ホルダとを有する折畳み可能ナイフでは、ハンドル上にロックアセンブリを有し、そのロックアセンブリは、通常はハンドル内の空間部に位置するロックノブを有し、刃ホルダをその展開位置または折畳み位置に保持するように刃ホルダと協同動作している。一方、ロックノブを空間部から除いた際に、その展開位置と折畳み位置との間の移動を可能としているので、複雑な機構を有するハンドル内に刃ホルダを容易に折り畳むことができ、かつ使用が簡単で製造と保守とに高い費用がかからないで済むという利点がある。
【発明を実施するための最良の形態】
【００１６】
以下、本発明の好ましい実施例について、図面を参照して説明する。
【００１７】
図面を参照すると、本発明の折畳み可能ナイフ１は、ハンドルアセンブリ（以後、ハンドルと呼称する）２と刃ホルダ３とを有する。
【００１８】
ハンドル２は、一対のハンドル半部２Ａと２Ｂとからなり、各半部は、外側壁１１と、上縁部７と、下縁部９とを有する。スペーサ４がハンドル半部２Ａと２Ｂとの間に設けられ、ハンドル半部２Ａと２Ｂとを離間した状態に保つと共に、ハンドル半部２Ａと２Ｂとの間に空間部５を形成している。スペーサ４とハンドル半部２Ａおよび２Ｂとは、留め具６により一緒に保持される。この留め具６はスペーサ４とハンドル半部２Ａおよび２Ｂとを貫通することによりこれらを一緒に保持する。ハンドル半部２Ａおよび２Ｂ（すなわちハンドル２）の下縁部９には、刃ホルダ３をハンドル２内に折り畳んだときに刃ホルダ３の一部を収容するための内部窪み８が設けられている。ハンドル半部２Ａおよび２Ｂ（すなわちハンドル２）の下縁部９は、ユーザの指がハンドル２を握れるように、湾曲させてもよい。所望に応じ、クリップ１０をハンドル半部２Ａおよび／または２Ｂの側壁１１に取り付けて、折畳み可能ナイフ１をユーザのベルトやその他の便利な場所などに固定することができるようにしてもよい。
【００１９】
ハンドル半部２Ａと２Ｂとの間に介在して、ロックアセンブリ１５が設けられる。このロックアセンブリ１５は、ハンドル半部２Ａに設けた開口部１６からハンドル半部２Ｂに設けた窪み１７まで延在している。ロックアセンブリ１５は、押しボタン１８を有し、この押しボタン１８は、開口部１６に取り付けられ、開口部１６の拡大された内側肩部２０に接する拡大されたフランジ１９により定位置に保持されている（図５参照）。ロックノブ２１は、押しボタン１８から延在する軸２３の端部に取り付けられている。ロックノブ２１は、窪み１７に固定されている。ロックノブ２１は、好ましくは中空で、その内部にはバネ手段としてスプリング２２が取り付けられている。このスプリング２２は、窪み１７の内壁に押し当てられて、押しボタン１８をハンドル半部２Ａに向けて、且つ、ハンドル半部２Ｂから離れる方向にバイアスをかけている。ロックノブ２１の長さは、窪み１７の深さと等しい。ロックアセンブリ１５がその通常位置にあり、スプリング２２がロックアッセンブリ１５をハンドル半部２Ａに対してバイアスをかけているとき、ロックノブ２１は、ハンドル半部２Ａと２Ｂとの間の空間部５まで延在している。押しボタン１８を内側に押すと、ロックノブ２１は、窪み１７内に完全に移動して空間部５から抜け出す。
【００２０】
本発明による刃ホルダ３は、好ましくは互いに一体に形成された、後端部３１と前端部３２とを有する。
【００２１】
刃ホルダ３の後端部３１は、後縁部３１Ａと、下縁部３１Ｂと、上縁部３１Ｃとを有する。刃ホルダ３は、ハンドル半部２Ａと２Ｂの間の空間部５内に、ピボットピン３０を支点として旋回可能に取り付けられている。
【００２２】
刃ホルダ３の前端部３２は、薄い主壁３４と、主壁３４上にピボットピン３６を支点として旋回可能に取り付けられた薄いガード壁３５とからなる。主壁３４は刃Ｂを保持することができ、刃Ｂは、下部の裁断刃３７と、その長手方向中心軸に沿って設けられた細長い開口部３８とを有する。図において、刃Ｂは、略長方形として示され、所望に応じ、カーペットの切断に用いることができる。しかしながら、刃Ｂは、異なる形状であってもよく、本発明から逸脱することなしに、如何なる目的にも用いることができるのはいうまでもない。主壁３４は、その長手方向中心軸に沿って延在する細長い突出物４０を有し、この突出物４０に刃Ｂの細長い開口部３８を嵌め込んで、刃Ｂを主壁３４の定位置に保持することができるようになっている。ガード壁３５は、上昇して閉位置にあるとき定位置で刃Ｂを覆って保持し、下降して開位置にあるとき刃Ｂを露出する。
【００２３】
刃ロックアセンブリ４５は、刃ホルダ３の上縁部３１Ｃに沿って、かつ、刃ホルダ３の前端部３２でピボットピン４６を支点として旋回可能に、取り付けられている。刃ロックアセンブリ４５は、Ｕ字クリップ形状であり、分割すなわち分断された上壁４８と、上壁４８にぶら下がる一対の側壁４９と、側壁４９から外側に延在する側面フィンガータブ５０とを有する。ピボットピン４６を支点として下方に刃ロックアセンブリ４５を旋回させると、その側壁４９が刃ホルダ３の主壁３４とガード壁３５とを挟み、上壁４８が主壁３４およびガード壁３５並びに刃Ｂの上にかぶさり、刃Ｂが定位置にロックされる。主壁３４およびガード壁３５に摺接的に係合することによりロックアセンブリ４５を定位置に保持するために、内側に延在する突部５１を側壁４９に設けてもよい。刃Ｂを取り外して交換したい場合、刃ロックアセンブリ４５は上記側面フィンガータブ５０により上方に旋回させられ、主壁３４およびガード壁３５並びに刃Ｂが解放される。すなわち、ガード壁３５を刃Ｂから離れる方向に旋回させることが（図１３に示すように）可能となることにより、刃Ｂを露出させ、刃Ｂを取り外して交換することを可能としている。
【００２４】
操作に際して、折畳み可能ナイフ１は、折り畳まれていない刃ホルダ３を操作展開位置に置いて、使用準備状態にする（図４参照）。刃Ｂは、刃Ｂの開口部３８まで延在する突出物４０により、主壁３４に保持されている。ロックアセンブリ１５のロックノブ２１は、ロックノブ２１に作用するスプリング２２の圧力のため、その外向きの位置にあり、かつ、刃ホルダ３の後縁部３１Ａの後側空間部５内に位置している。ここで、ロックノブ２１は、刃ホルダの後縁部３１Ａに押し当てられて、刃ホルダ３をその展開位置に保持している（図７参照）。ロックアセンブリ１５の押しボタン１８はその最も外側の位置にあり、ハンドル半部２Ａの開口部１６から若干突出している。
【００２５】
折畳み可能ナイフ１を折り畳んだ操作不能状態にしたい場合、ロックアセンブリ１５の押しボタン１８をスプリング２２のバイアス力に抗して手指で内側に押す。これにより、ロックノブ２１は、空間部５から窪み７内に、後縁部３１Ａから離れる方向で、完全に移動する。刃ホルダ３は、もはや、後縁部３１Ａに押し当てられていたロックノブ２１によりその展開位置に保たれることはなく、ピボットピン３６を支点とする下向きの方向に旋回できる（図８参照）ようになる。そして、刃ホルダ３は、ハンドル半部２Ａと２Ｂとの間の空間部５に完全に入り込むまで旋回することが（図９参照）できる。押しボタン１８に対する圧力が解除されると、スプリング２２は、スプリング２２の張力により、押しボタン１８とロックノブ２１とをハンドル半部２Ａに向け移動させて元の位置に戻す。これにより、ロックノブ２１が空間部５内に移動するとともに、ロックノブ２１自体が下縁部３１Ｂの後側に位置して、下縁部３１Ｂに設けられた窪み３１Ｄに入り込む。ロックノブ２１が刃ホルダ３の下縁部３１Ｂに押し当てられるので、刃ホルダ３はその折畳み位置を保持しロックされる。
【００２６】
刃Ｂを使用したい場合には、逆の手順をたどり、刃ホルダ３は反対方向に上向きに旋回させられる。ロックアセンブリ１５の押しボタン１８が再び手指で押し込まれることにより、ロックノブ２１は、空間部５から移動するので、下縁部３１Ｂの後側の位置から離れ、窪み３１Ｄ外部に移動する。このため、刃ホルダ３はピボットピン３０を支点として反対方向に旋回できるようになる。この回転が始まると、押しボタン１８が解放できるので、ロックノブ２１は移動して空間部５内に戻ることができる。従って、刃ホルダ３をその方向に引き続き回転させて、後端部３１Ａがロックアセンブリ１５のロックノブ２１の正面に再び位置した際、刃ホルダ３はその展開位置に保持される。
【００２７】
刃Ｂを交換したい場合、図１３に示すように、刃ホルダ３はその展開位置に置かれる。そして、側面フィンガータブ５０を用いて、ピボットピン４６を支点として刃ロックアセンブリ４５が持ち上げられる。これにより、ガード壁３５が解放され、ピボットピン３６を支点としてガード壁３５を下方に旋回できるので、刃Ｂは露出する。そこで、刃Ｂを刃ホルダ３から取り出すことができ、ここに新しい刃Ｂを取り付けることができる。再び、ガード壁３５を上方に旋回させて刃Ｂを覆う位置に戻し、刃ロックアセンブリ４５を下降させることにより、刃Ｂ並びに主壁３４およびガード壁３５を定位置にロックすることができる。
【００２８】
なお、本発明は上記の実施例に限定されるものではなく、請求項の範囲を逸脱することなく種々の変形が可能であることは、当業者であれば明らかであろう。
【００２９】
本発明によれば、複雑な機構を有するハンドル内に刃ホルダを容易に折り畳むことができ、かつ使用が簡単で製造と保守とに高い費用のかからない、折畳み可能ナイフを提供することができる。
【産業上の利用可能性】
【００３０】
本発明のように、ハンドル上に設けられたロックアセンブリは、通常はハンドル内の空間部に位置するロックノブを有し、刃ホルダをその展開位置または折畳み位置に保持するように刃ホルダと協同動作する。また、ロックノブを空間部から除くことにより、その展開位置と折畳み位置との間の移動を可能としている。すなわち、ロックアセンブリに連結されるバネ手段が、ロックノブにバイアスをかけているので、ロックアセンブリが有する押しボタンの操作によりバネ手段の張力に抗してロックアセンブリを移動し、ロックノブを空間部から出して後縁部の後側から離れた方向に移動させた際には、刃ホルダは、ハンドルに対し展開位置から折り畳み位置に旋回できるようになる。
【００３１】
このような構造のため、本発明は、万能ナイフに限定されず、刃のような薄手の具を自己内部に保持するホルダを、複雑な機構を有するハンドル内に容易に折り畳むこと、かつ、使用が簡単で製造と保守とを低コスト化すること、が必要かつ不可欠な用途に適用することができる。
【図面の簡単な説明】
【００３２】
【図１】本発明による折畳み可能ナイフの一形態を分解斜視で示す図である。
【図２】本発明による折畳み可能ナイフを刃ホルダが展開位置にある状態で示す斜視図である。
【図３】図２の折畳み可能ナイフの上面を示す図である。
【図４】図２の折畳み可能ナイフの側面を示す図である。
【図５】図４におけるＡ−Ａ断面を示す図である。
【図６】図４におけるＢ−Ｂ断面を示す図である。
【図７】図３におけるＣ−Ｃ断面を示す図である。
【図８】図７において、太線の刃ホルダを途中まで折り畳んだ状態にある折畳み可能ナイフの断面を示す図である。
【図９】図８において、折り畳まれた状態にある折畳み可能ナイフの断面を示す図である。
【図１０】図７におけるＤ−Ｄ断面を示す図である。
【図１１】図８におけるＥ−Ｅ断面を示す図である。
【図１２】図９におけるＦ−Ｆ断面を示す図である。
【図１３】図４において、刃を取り外して交換する方法を説明する正面図である。
【図１４】本発明による折畳み可能ナイフの（図２における）裏面図である。
【符号の説明】
【００３３】
１    折畳み可能ナイフ
２    ハンドル（ハンドルアセンブリ）
２Ａ、２Ｂ    ハンドル半部
３    刃ホルダ
４    スペーサ
５    空間部
６    留め具
７、３１Ｃ    上縁部
８    内部窪み
９、３１Ｂ    下縁部
１０    クリップ
１１    側壁
１５    ロックアセンブリ
１６、３８    開口部
１７、３１Ｄ    窪み
１８    押しボタン
１９    フランジ
２０    内側肩部
２１    ロックノブ
２２    スプリング（バネ手段）
２３    軸
３０、３６、４６    ピボットピン
３１    後端部
３１Ａ    後縁部
３２    前端部
３４    主壁
３５    ガード壁
３７    裁断刃
４０    突出物
４５    刃ロックアセンブリ
４８    上壁
４９    側壁
５０    側面フィンガータブ（側面フィンガー）
５１    突部
Ｂ    刃
【図１】
2006043437.tif 000003
【図２】
2006043437.tif 000004
【図３】
2006043437.tif 000005
【図４】
2006043437.tif 000006
【図５】
2006043437.tif 000007
【図６】
2006043437.tif 000008
【図７】
2006043437.tif 000009
【図８】
2006043437.tif 000010
【図９】
2006043437.tif 000011
【図１０】
2006043437.tif 000012
【図１１】
2006043437.tif 000013
【図１２】
2006043437.tif 000014
【図１３】
2006043437.tif 000015
【図１４】
2006043437.tif 000016